(57)【要約】【課題】床面を椅子などの擦り傷から保護する保護具において、貼着部位から剥がれ落ちにくく、また、周りにゴミが付着しにくい保護具を提供する。【解決手段】溶融繊維と通常繊維との混紡繊維からなる繊維基材２０のほぼ中央に、溶融繊維を未融着状態のまま凸球面状に形成してなるクッション部２４を設けるとともに、クッション部２４の周縁に溶融繊維を熱融着によって板状に固めたフランジ部２４を形成する。【選択図】　図３
2004057260.tif 000002
【特許請求の範囲】
【請求項１】
クッション性を有する繊維基材の一方の面に粘着面を有し、他方の面が床面などの被接触面に接触する保護面とされていて、上記粘着面側を例えば椅子の脚などに貼着して、上記保護面側を上記被接触面に接触させて、上記被接触面の傷付きを保護する保護具において、
上記繊維基材は、溶融繊維を含む少なくとも２種類以上の混紡繊維からなり、上記繊維基材の周縁に上記混紡繊維を加熱圧着してなる硬いフランジ部を備え、上記フランジ部にて囲まれた中央部分に未融着の上記混紡繊維からなるクッション部が設けられていることを特徴とする保護具。
【請求項２】
溶融繊維を含む少なくとも２種類以上の混合繊維シート上に、環状に形成された加熱金具を押圧して、周縁に上記溶融繊維を加熱圧着してなる硬いフランジ部を備え、上記フランジ部にて囲まれた中央部分に未融着の上記混紡繊維からなるクッション部を有する保護具を得ることを特徴とする保護具の製造方法。
【発明の詳細な説明】
【０００１】
【発明の属する技術分野】
本発明は、椅子の脚などによって床面が傷付くのを防止する保護具に関し、さらに詳しく言えば、貼着部位から剥離しにくく、かつ、周りにゴミが付着しにくい保護具に関する。
【０００２】
【従来の技術】
最近の住宅では、デザイン性や清掃性の良さからフローリング床がよく用いられている。図５に例示するように、フローリング床Ｆは、複数枚の床板メンバーＦｍを凹凸嵌合によって平面的に多数連結したものからなり、各床板メンバーＦｍの連結部には、継ぎ目Ｊが形成されるのが一般的である。なお、合成樹脂製であって、模様を兼ねた擬似的な継ぎ目を有する床材もある。
【０００３】
ところで、フローリング床Ｆは、椅子やテーブルの脚などの擦れによって傷付きやすく、一旦傷が付くと、そこから傷が広がり、ひどい傷の場合には、専用の補修用具を使って補修しなければならない。
【０００４】
そこで、フローリング床Ｆを擦り傷から簡易的に保護する保護具が提供されており、図５にその一例を示す。この保護具１は、例えばフェルトなどのクッション性を有する繊維基材２の一方の面（図５では上面）に両面粘着テープ３からなる粘着面２１を有し、他方の面（図５では下面）をフローリング床Ｆ（被接触面）に接触する保護面２２としたもので、粘着面２１を例えば椅子の脚Ｌの底面に貼着して用いられる。
【０００５】
これによれば、椅子の脚Ｌとフローリング床Ｆとの間に保護具１が介装されることにより、椅子の脚Ｌが直にフローリング床Ｆに接触しないため、床面を傷付けることがない。
【０００６】
【発明が解決しようとする課題】
しかしながら、この保護具１は、経時使用するにつれて、次のような問題が生ずる。すなわち、椅子を動かした際、保護具１には貼着面に対して平行な方向（図中矢印方向）に摩擦力が加わる。
【０００７】
上述したようにフローリング床Ｆの表面には、床板メンバーＦｍの連結によって継ぎ目Ｊが露出しているため、図５の拡大図に示すように、保護具１の端縁が継ぎ目Ｊに引っ掛かりやすく、引っ掛かった状態のままさらに摩擦力が加わると、保護具１が脚Ｌから剥がれ落ちることがあった。
【０００８】
また、剥がれ落ちないまでも、継ぎ目Ｊに引っ掛かることより、保護具１の周縁がほつれ、そのほつれた部分にゴミが毛玉状に付着する場合があり、見た目に不潔感を与える。
【０００９】
そこで、本発明は上述した問題を解決するためになされたものであって、その目的は、貼着部位から剥がれ落ちにくく、また、周りにゴミが付着しにくい保護具を提供することにある。
【００１０】
【課題を解決するための手段】
上述した目的を達成するため、本発明は、クッション性を有する繊維基材の一方の面に粘着面を有し、他方の面が床面などの被接触面に接触する保護面とされていて、上記粘着面側を例えば椅子の脚などに貼着して、上記保護面側を上記被接触面に接触させて、上記被接触面の傷付きを保護する保護具において、
上記繊維基材は、溶融繊維を含む少なくとも２種類以上の混紡繊維からなり、上記繊維基材の周縁に上記混紡繊維を加熱圧着してなる硬いフランジ部を備え、上記フランジ部にて囲まれた中央部分に未融着の上記混紡繊維からなるクッション部が設けられていることを特徴としている。
【００１１】
これによれば、繊維基材の周縁に硬いフランジ部が形成されており、周縁部が直接床面に接触することがないため、例えばフローリング床の継ぎ目に引っ掛かって剥がれ落ちることもない。また、周縁部が加熱圧着されているので、解れが生じずゴミが付着することもない。
【００１２】
本発明には、この保護具の製造方法も含まれる。すなわち、本発明の製造方法は、溶融繊維を含む少なくとも２種類以上の混合繊維シート上に、環状に形成された加熱金具を押圧して、周縁に上記溶融繊維を加熱圧着してなる硬いフランジ部を備え、上記フランジ部にて囲まれた中央部分に未融着の上記混紡繊維からなるクッション部を有する保護具を得ることを特徴としている。
【００１３】
【発明の実施の形態】
次に、本発明の実施形態について図面を参照しながら説明する。図１は本発明の一実施形態に係る保護具の斜視図であり、図２はその断面図である。図３は、保護具を椅子の脚Ｌに装着した状態の断面図である。
【００１４】
この保護具１０は、一方の面（図２では下面）に粘着面２１を有し、他方の面（図２では上面）が床面などの被接触面に接触する保護面２２とされた繊維基材２０を備え、繊維基材２０の周縁に硬いフランジ部２３が形成されており、フランジ部２３にて囲まれた中央部分にクッション部２４が設けられている。
【００１５】
なお、繊維基材２０の粘着面２１側には、未使用時に粘着面２１を保護する剥離紙３０が設けられている。剥離紙３０は、例えば両面粘着テープなどに用いられているセパレータと同じものであってよい。
【００１６】
繊維基材２０は、溶融繊維を含む少なくとも２種類以上の混紡繊維からなり、溶融繊維には、例えば低融点のポリプロピレンが用いられ、これに混紡される繊維としては、ポリエステルなどの樹脂繊維や綿糸などの天然繊維を用いることができる。
【００１７】
この実施形態において、繊維基材２０は、溶融繊維（低融点ポリプロピレン）：樹脂繊維（ポリエステル）＝３０：７０の混紡比率で配合されたものからなるが、繊維間の接着強度をより向上させたい場合には、溶融繊維の混紡比率を上げればよく、混紡比率は保護具１の仕様によって適宜変更可能である。また、各種顔料や各種添加剤などをさらに加えてもよい。
【００１８】
フランジ部２３は、繊維基材２０の周縁部に加熱金具を圧着することにより、形成することができる。この実施形態において、フランジ部２３は、半球凸状のクッション部２４の周りに沿って円形リング状に形成されているが、これ以外に四角状に形成されていてもよく、加熱融着によって固着されたものであれば、その形状は特に制限されない。
【００１９】
クッション部２４は、フランジ部２３にて囲まれた中央部分に残された未融着の混紡繊維からなり、図３に示すように、床面Ｆ方向に向けて膨らんでいる。この実施形態において、クッション部２４は、中央頂部からフランジ部２３側に向かうにつれて高さが漸次低くなるよう半球状に形成されている。
【００２０】
この実施形態において、粘着面２１は、繊維基材２０に対して貼着された両面粘着テープ４０からなるが、粘着剤が塗布されたものであってもよい。いずれにしても、粘着面２１は、未使用時に剥離紙３０によって保護されることが好ましい。
【００２１】
次に、図４を参照して、保護具１０の好適な製造方法について説明する。まず、保護具１０を多数個採りできる大きさのフェルト状に形成された混紡繊維シート１０Ｍを用意し、その上に例えばワッシャーリングなどの環状に形成された加熱金具Ｈを所定間隔で並べる。
【００２２】
そして、その上から図示しない熱プレスを加え、加熱金具Ｈを介して混紡繊維シート１０Ｍを加圧加熱する。これにより、加熱金具Ｈにて押圧された部分の溶融繊維が固められて環状の硬いフランジ部２３が形成され、フランジ部２３によって囲まれた内部に未融着の混紡繊維が残されてクッション部２４が形成されることになる。熱プレス後に、混紡繊維シート１０Ｍから保護具１０を個々に切り出す。
【００２３】
なお、上記の製造方法では、簡易的にワッシャーリングからなる加熱金具Ｈを採用しているが、この加熱金具Ｈを図示しない加熱プレス金型に一体に形成してもよいことはもちろんである。
【００２４】
この保護具１０を使用するには、図１に示す剥離紙３０を繊維基材２０から取り外して両面粘着テープ４０を露出させ、椅子などの脚Ｌの底面に両面粘着テープ４０を介して貼り付ければよい。
【００２５】
これによれば、図３に示すように、凸球面状のクッション部２４のみが床面Ｆに接触し、周縁のフランジ部２３は床面Ｆから浮いた状態とされるため、保護具１０が床面Ｆの継ぎ目Ｊに引っ掛かったとしても、その端部から剥がされるおそれがない。
【００２６】
また、クッション部２４の周縁に形成された硬いフランジ部２３によって繊維基材２０全体の剛性が高められるため、床面Ｆとの摩擦力を椅子の脚Ｌに均等に分散することができるので、より剥がれ落ちにくい。さらには、周縁に硬いフランジ部２３が形成されているため、周縁がほつれにくくゴミが付着しにくい。
【００２７】
上記実施形態では、保護具１０を椅子の脚Ｌに装着した例について説明しているが、テーブルやソファなどの脚に適用してもよいことはもちろんである。また、保護具１０全体の形状は任意であってよく、円形のほかに四角形や三角形など種々変形可能である。
【００２８】
【発明の効果】
以上説明したように、本発明によれば、溶融繊維と樹脂繊維の混紡繊維からなる繊維基材のほぼ中央に溶融繊維を未融着状態のまま残して凸球面状に形成してなるクッション部と、クッション部を囲むように配置され、溶融繊維を熱融着によって板状に固められたフランジ部とを備えていることにより、摩擦力による貼着部位からの剥がれ落ちを確実に防止でき、また、端部がほつれないためゴミなどが付着することもない保護具が提供される。
【図面の簡単な説明】
【図１】本発明の一実施形態に係る保護具の斜視図。
【図２】上記実施形態の保護具の断面図。
【図３】本発明による保護具の使用状態を示す模式図。
【図４】本発明の製造方法の一例を説明するための説明図。
【図５】従来の保護具の使用状態を示す模式図。
【符号の説明】
１０　保護具
２０　繊維基材
２１　粘着面
２２　保護面
２３　クッション部
２４　フランジ部
３０　剥離紙
４０　両面粘着テープ
Ｆ　床面（フローリング床）
Ｊ　継ぎ目
Ｌ　脚
【図１】
2004057260.tif 000003
【図２】
2004057260.tif 000004
【図３】
2004057260.tif 000005
【図４】
2004057260.tif 000006
【図５】
2004057260.tif 000007